(57)【要約】【課題】回転軸を用いたポップアップストロボ内蔵カメラにおいて、回動性能を阻害することなく、回転軸と軸受部の組立性を改善することができるストロボ内蔵カメラを提供すること。【解決手段】ベース部材と、ベース部材に対して回動可能なホルダ部材と、ホルダ部材に保持されるストロボ発光部と、ホルダ部材には一対の回転軸が形成され、ベース部材は、蓋体と組み合わせることにより前記回転軸を軸支する一対の軸受部が形成され、ホルダ部材は、前記回転軸を中心として所定角度の回動し、付勢部材によって収納位置と発光位置の両方向に付勢されるように構成され、回転軸は、付勢部材によって収納位置から発光位置にわたって一対の軸受部のベース部材側に圧接されることを特徴とする。【選択図】図４
2016085251.tif 000002
【特許請求の範囲】
【請求項１】
ベース部材（７２）と、
前記ベース部材に対して、回動可能なホルダ部材（７１２）と、
前記ホルダ部材に保持されるストロボ発光部（７１１）と、
前記ホルダ部材には、一対の回転軸（７１２ｂ、７１２ｃ）が形成され、
前記ベース部材は、蓋体（７３）と組み合わせることにより前記回転軸を軸支する一対の軸受部が形成され、
前記ホルダ部材は、前記回転軸を中心として所定角度の回動し、付勢部材（７８）によって収納位置と発光位置の両方向に付勢されるように構成され、
前記回転軸は、前記付勢部材によって収納位置から発光位置にわたって前記一対の軸受部のベース部材側に圧接されることを特徴とするストロボ内蔵カメラ。
【請求項２】
前記蓋体が前記ベース部材に組み立てられる方向（Ｄ２）と、前記ベース部材に形成された軸受部の円弧が作る弦に直交する方向（Ｄ１）が一致することを特徴とする請求項１に記載のストロボ内蔵カメラ。
【発明の詳細な説明】
【技術分野】
【０００１】
本発明は、ストロボ内蔵カメラに関し、特にストロボ装置が収納位置と発光位置との間で移動可能なポップアップストロボ内蔵カメラに関する。
【背景技術】
【０００２】
カメラにおいて、被写体を照射するストロボ装置を内蔵したものが知られている。このようなストロボ装置では、レンズ鏡筒の先端でストロボ光が遮られて被写体に届かなくなる、所謂、「ケラレ」が問題となる。このため、撮影時にストロボ発光部をレンズ鏡筒から離して、ストロボ光の照射範囲にレンズ鏡筒が入らないようにすることで、上記「ケラレ」を回避することが一般的に行われている。
【０００３】
ストロボ発光部の移動方式としては、ストロボ発光部をカメラ本体に対して軸回りに回転可能に支持して、ストロボ使用時にはカメラの上方に移動させるとともに、不使用時にはカメラ側に引き寄せた位置に格納する方式がある。そうすることで、カメラをコンパクトにし、かつ、「ケラレ」の発生を防止している。この場合、ストロボ発光部を支持するホルダ部材を設け、このホルダ部材の回転軸を中心とする回転によりストロボ発光部が収納位置と発光位置との間を移動する構成が一般的である。
【０００４】
収納位置から発光位置へ移動するポップアップ動作は、カメラがストロボ発光必要と判断した時自動的に行われたり、撮影者がストロボ発光必要もしくは意図的に発光させたいと判断した時に手動で行われたりする。
【０００５】
このような構成における電気実装形態はストロボ発光部内にキセノン管とトリガーコイルを実装するだけとし、カメラ本体内に制御回路を実装する形態が多くとられている。この形態であればストロボ発光部とカメラ本体内の制御回路との電気的接続で４本程度のリード線で済む。このリード線は、回転軸の中心から離れた位置で、ベース部材に設けた挿入穴を通ってカメラ本体内に挿入し、カメラ本体内の制御回路基板に接続されている。この挿入穴が回転軸の中心から離れた位置にあるため、ストロボ発光部の移動に伴って、挿入穴付近でリード線の位置が変化する。
【０００６】
つまり、挿入穴の大きさは、ストロボ発光部の移動に伴って変化するリード線の位置を考慮して決めないと、ストロボ発光部の回動の大きな抵抗になったり、その結果リード線がストロボ発光部の回動の繰り返しによる疲労で、切断されたりする可能性がある。このように、この種のリード線の配線においては、ベース部材に適切な大きさの挿入穴が必要であり、ベース部材の内部に配置された制御回路基板が露呈され、挿入穴から水滴が内部に挿入すると、制御回路基板に影響を及ぼす可能性がある。
【０００７】
従来、この種のリード線の配線として、ホルダ部材に設けられた左右のアーム部に形成された対向する回転軸の一方を中空にして、その内部に発光部とカメラ本体内の制御回路基板を接続するリード線を配線する構成が、特許文献１に開示されている。回転軸中心にリード線を通すことで、ストロボ発光部の移動時にリード線位置が変わらない為、回転軸中心の穴は必要最小限にすることが可能となり、ホルダ部材と一体的に回動するホルダカバー部材で穴を塞ぐことで、水滴が侵入しない構成となっている。
【先行技術文献】
【特許文献】
【０００８】
【特許文献１】特開平５―２２１３号公報
【発明の概要】
【発明が解決しようとする課題】
【０００９】
然しながら、上記の特許文献１は、リード線をベース部材の軸受穴に配線するとともに、回転軸が軸受穴に入り込む量だけ両アーム部を撓ませて組み立てる必要があり、組み立て難いという課題があった。また、組み立てを容易にするために、回転軸が軸受穴に入り込む量を減らすと、例えば落下等に起因して、ホルダ部材に対して上方から荷重が加わると、回転軸が軸受部から脱落して、カメラ本体からストロボ発光部が脱落してしまうという課題があった。
【００１０】
本発明の目的は、回転軸を用いたポップアップストロボ内蔵カメラにおいて、回動性能を阻害することなく、回転軸と軸受部の組立性を改善することができるストロボ内蔵カメラを提供することにある。
【課題を解決するための手段】
【００１１】
上記の目的を達成するために、本発明のストロボ内蔵カメラは、ベース部材と、ベース部材に対して回動可能なホルダ部材と、ホルダ部材に保持されるストロボ発光部と、ホルダ部材には一対の回転軸が形成され、ベース部材は、蓋体と組み合わせることにより前記回転軸を軸支する一対の軸受部が形成され、ホルダ部材は、前記回転軸を中心として所定角度の回動し、付勢部材によって収納位置と発光位置の両方向に付勢されるように構成され、回転軸は、付勢部材によって収納位置から発光位置にわたって一対の軸受部のベース部材側に圧接されることを特徴とする。
【発明の効果】
【００１２】
本発明によれば、回転軸を持つポップアップストロボにおいて、付勢部材の付勢力によって回転軸が当接する範囲をベース部材の軸受部で受ける構造とする。さらに、この軸受部に回転軸が当接する範囲外に回転軸組立用の切欠部を設けることで、発光部ホルダの回動運動を阻害することなく、回転軸と軸受部の組立を容易にすることができる。
【図面の簡単な説明】
【００１３】
【図１】（ａ）は本発明に係るストロボユニットが収容位置にある状態を示す正面斜視図である。（ｂ）は本発明に係るストロボユニットが発光位置にある状態を示す正面斜視図である。（ｃ）は本発明に係る撮像装置の外観を背面側から見た斜視図である。
【図２】（ａ）は本発明に係るホルダカバー部材を取り外した状態の発光部ユニットの構成を説明する左側面図である。（ｂ）は本発明に係るホルダカバー部材を取り外した状態の発光部ユニットの構成を説明するＡ−Ａ断面図である。（ｃ）は本発明に係るホルダカバー部材を取り外した状態の発光部ユニットの構成を説明する上面図である。（ｄ）は本発明に係るホルダカバー部材を取り外した状態の発光部ユニットの構成を説明するＢ−Ｂ断面図である。（ｅ）は本発明に係るホルダカバー部材を取り外した状態の発光部ユニットの構成を説明する右側面図である。
【図３】本発明に係るストロボユニットの構成を説明する分解斜視図である。
【図４】（ａ）は本発明に係る発光部ユニットを収納位置に付勢する際の付勢力を示す側面図である。（ｂ）は本発明に係る発光部ユニットを発光位置に付勢する際の付勢力を示す側面図である。（ｃ）本発明に係る発光部ユニットの回転軸と第一の軸受部を示す側面図である。（ｄ）は本発明に係る発光部ユニットの回転軸と軸受部を示す側面図である。
【発明を実施するための形態】
【００１４】
以下に、本発明の好ましい実施形態を、添付の図面に基づいて詳細に説明する。
図１は、本実施形態に係る撮像装置（以下、カメラ）の外観を示す斜視図であり、図１（ａ）はストロボユニットの収容状態を示す正面斜視図、図１（ｂ）は、ストロボユニットのポップアップ状態を示す正面斜視図、図１（ｃ）はストロボユニットの収容状態を示す背面斜視図である。
【００１５】
図１において、カメラ１には、被写体像を撮像素子に結像する撮影レンズ鏡筒２が固定されている。撮影レンズ鏡筒２は、沈胴式のズームレンズ鏡筒で撮影レンズおよびズーム機構、シャッタ機構、及びフォーカス機構等が搭載した、公知の鏡筒である。撮影レンズ鏡筒２は、カメラ背面側に配置されているカメラ全体の構造躯体となるメインシャーシ（不図示）にビスを用いて締結されている。撮影レンズ鏡筒２の後方には、光学像を光電変換して画像データを生成するＣＣＤやＣＭＯＳイメージセンサ等の撮像素子（不図示）が実装されている。
【００１６】
カメラ１の内部には、中央処理装置であるＣＰＵや各々のフレキシブル配線基板を電気的に接続するためのコネクタを備えるメイン基板（不図示）が配置されている。カメラ１の正面は、フロントカバーユニット３によって覆われている。フロントカバーユニット３は、カメラ正面を覆う外装部材である樹脂製のフロントカバー３１、フレームアシストボタン３２、ユーザがカメラを把持した際に指掛りとなるグリップ部材として機能するフロントグリップ３３で構成されている。フレームアシストボタン３２を押すことで、超望遠撮影時に被写体が表示画面から外れてしまっても、一旦撮影レンズ鏡筒２を広角側に移動させることで周辺領域が表示されるため、画角から外れてしまった被写体の再捕捉を容易なものにしている。
【００１７】
カメラ１の背面は、リアカバーユニット５によって覆われている。リアカバーユニット５は、カメラ背面を覆う外装部材である樹脂製のリアカバー５１、各種操作ボタン５２、ユーザがカメラを把持した際に指掛りとなるグリップ部材として機能するリアグリップ５３で構成されている。また、カメラ１の背面には、撮影画像の表示手段としてバリアングル型ＬＣＤ表示部４が設けられている。
【００１８】
バリアングル型ＬＣＤ表示部４は、ヒンジ部４１によってカメラ本体と接続されており、ユーザはカメラ本体１に対して開閉軸Ｘを中心軸として約１８０°開閉操作が可能である。また、カメラ本体１に対して回転軸Ｙを中心軸として、反時計回りに約１８０°、時計回りに約９０°回転操作が可能である。カメラ１とＬＣＤ表示部４２とがヒンジ部４１により連結されていることで、撮影者は撮影を行う体勢に応じて表示部の角度を自由に変えることができ、ハイアングルやローアングルでも被写体をＬＣＤ表示部４２で確認しながら撮影を行うことができる。
【００１９】
カメラ１の上面グリップ側（背面から見て右側）は、樹脂製のトップカバーユニット６によって覆われている。トップカバーユニット６は、電源ＯＮ／ＯＦＦ操作を行うための電源ボタン６１、撮影動作を開始するためのレリーズボタン６２、変倍操作のためのズームレバー６３、撮影モードを切替るためのモードダイアル６４が設けられている。
【００２０】
カメラ１の上面中央部には、外部ストロボ等のアクセサリ部品を取り付け可能とするアクセサリシュー６５、および撮影時に被写体の明るさが足りない時に発光するストロボユニット７が設けられている。ストロボユニット７は、不使用時にはカメラ本体１内に収納されており、使用時には、手動で操作することでカメラ本体１内からポップアップし、図１（ｂ）の状態になる。つまり、ストロボユニット７は、使用形態に応じて、図１（ａ）に示される収納位置にある状態と、図１（ｂ）に示される発光位置にある状態がある。
【００２１】
カメラ１のグリップ側（背面から見て右側）の側面部には、外部接続コネクタを覆い隠すためのコネクタカバー５４が配置されている。コネクタカバー５４の上側には、ストラップ紐を通すためのストラップ取付部材６６が配置され、反対側の側面部にもストラップ取付部材８１が配置されている。ストラップ紐を取り付けることで、ストラップ紐を首や手首等にかけて携帯することが出来、携帯性の向上や脱落防止に役立っている。
【００２２】
カメラ１の非グリップ側（背面から見て左側）の側面部は、サイドカバーユニット８によって覆われている。サイドカバーユニット８は、ストラップ紐を通すためのストラップ取付部材８１、カメラ側面を覆う外装部材として機能する樹脂製のサイドカバー８２、外部接続コネクタを覆い隠すためのコネクタカバー８３で構成されている。
【００２３】
図２は本発明の実施例に係るストロボユニット７の発光部ユニット７１を説明する図である。発光部ユニット７１は、発光部７１１、発光部ホルダ７１２、発光部とストロボ基板７６（図３参照）を電気的に接続するリード線群７１５で構成されている。発光部７１１は、Ｘｅ管、反射傘、発光部窓、トリガーコイルで構成される公知の発光部である。反射傘と発光部窓は、撮像の対象となる領域にストロボ光が集光するように配光角度を決めている。すなわち、撮影画角外に照射されていた光を撮影画角に集めることにより、集光効率を高めることが出来る。
【００２４】
発光部ホルダ７１２の前側には、発光部７１１を収容する発光部収容部７１２ａが形成され、発光部ホルダ７１２の後側には、一対の回動軸７１２ｂ、７１２ｃが形成され、収容部と夫々の回動軸を結ぶように左アーム部７１２ｄ、右アーム部７１２ｅが形成されている。
【００２５】
リード線群７１５は、Ｘｅ管とトリガーコイルをストロボ基板７６に電気的に接続しており、４本のリード線が引き出されている。図２（ａ）は左アーム部７１２ｄの外側を示す側面図である。このリード線群７１５は、左アーム部に形成されたリード線収容部７１２ｄａを通り、一方の回動軸７１２ｂの中心に設けられた挿通口７１２ｂａ通って配線される。
【００２６】
図２（ｂ）、（ｄ）は各アーム部の内側を示す発光部中心の断面図である。各アーム部の内側には、ストロボユニット７がポップアップ位置に回動した時に位置を規制するストッパ面７１２ｄｂ、７１２ｅａが形成された溝が設けられている。また、図２（ｂ）に示す通り、他方の回動軸７１２ｃには、ストロボ基板に実装された検出ＳＷ７６ａ（図３参照）を押すための延設部７１２ｆが一体に形成されている。
【００２７】
図２（ｅ）は右アーム部７１２ｅの外側を示す側面図である。右アーム部７１２ｅには、発光部ユニット７１を収納位置とポップアップ位置に付勢する付勢バネ７８（図３参照）を収容するバネ収容部７１２ｅｂが形成されている。バネ収容部７１２ｅｂには、一方の付勢バネ腕部７８ｂを固定する取付軸７１２ｅｃと、他方の付勢バネ腕部７８ａを固定するガイド軸７５をベース部材７２に取り付けるための開口部７１２ｅｄが形成されている。開口部７１２ｅｄは、発光部ホルダ７１２の回動軌跡に合わせて長穴で形成されている。
【００２８】
図３は本発明の実施例に係るストロボユニット７のポップアップ機構を説明する分解斜視図である。図３を参照して、ストロボユニット７のポップアップ機構の構成を組立順序に沿って説明する。
【００２９】
ストロボユニット７の土台部分であるベース部材７２を説明する。ベース部材７２は、カメラ上面の外観を一部分構成する外装部品であり、樹脂製である。ベース部材７２には、ストロボ基板７６を収容する基板収容部７２ａ、発光部ホルダの回転軸を支軸する一対の軸受部７２ｂ、７２ｃ、蓋部７３を固定する蓋部用ビス７４のビス座７２ｄ、ガイド軸７５のビス座７２ｅが形成されている。また、一対の軸受部７２ｂ、７２ｃには、回転軸７１２ｂ、７１２ｃの組立用に切欠部７２ｂａ、７２ｃａが設けられている。
【００３０】
はじめに、ベース部材の基板収容部７２ａに、ストロボ基板７６を組み付ける。ストロボ基板７６は、不図示の位置決め部によってベース部材に対して位置が決まり、ベース部材にビス固定される。
【００３１】
次に、発光部ユニット７１は、発光部ホルダの回動軸７１２ｂ、７１２ｃをベース部材に形成された軸受の切欠部７２ｂａ、７２ｃａに沿うようにして組み立てられる。このように軸受に切欠部を設けることによって、回転軸を形成する発光部ホルダの組立を容易にすることが出来る。この時、回転軸に形成された延設部７１２ｆは、ベース部材の内部に位置し、発光部ユニットの回動に伴って延設部も一体に回動することで、ベース部材の内部に配置されたストロボ基板上の検出ＳＷ７６ａを押すことが出来る。そして、この検出ＳＷ７６ａの出力信号オン／オフによって、ストロボユニット７のポップアップ検出を行う。
【００３２】
次に、リード線群７１５をストロボ基板７６に半田付けをする。半田付けをする際に、樹脂製のベース部材７２に熱が加わり、変形や変色をさせてしまう恐れがある場合は、予め発光部ユニット７１から配線されたリード線群７１５とストロボ基板７６を半田付けし、その状態でストロボ基板と発光部ユニットをベース部材に対して組み付けてもよい。
【００３３】
蓋部７３には、ベース部材に形成された軸受の切欠部７２ｂａ、７２ｃａを覆うように一対の第二の軸受部７３ａが形成されている。蓋部７３はベース部材７２に組み付け、蓋部用ビス７４によってベース部材にビス固定される。これによりベース部材の内部に配置したストロボ基板７６を覆い隠し、第一の軸受部と第二の軸受部によって回転軸７１２ｂ、７１２ｃを全周囲うことができる。蓋部用ビス７４は、ネジ部７４ａとビス頭部７４ｂにより構成され、ポップアップ時に発光部ホルダのストッパ面７１２ｂｄ、７１２ｅａとビス頭部７４ｂが当接することにより、発光部ホルダの位置が規制される。
【００３４】
付勢バネ７８は、一対の腕部７８ａ、７８ｂと、コイル部７８ｃとを備えるトグルバネである。腕部７８ａは、ベース部材のビス座７２ｅにガイド軸７５を介して固定され、腕部７８ｂは、発光部ホルダに形成された取付軸７１２ｅｃに固定される。
【００３５】
ホルダカバー部材７７は、発光部ホルダの発光部収容部７１２ａと、左アーム部７１２ｄと右アーム部７１２ｅを覆い隠すように形成されている。ホルダカバー部材７７は、発光部ユニット７１に組み付け、発光部ホルダに対してビス固定される。これにより、発光部７１１、リード線群７１５を覆い隠すことができる。
【００３６】
このような機構にすることで、ストロボ基板、発光部、リード線を露呈することなく配線することができ、なお且つ、回転軸と軸受部の組立性も改善することが可能となる。
【００３７】
図４（ａ）はストロボユニットが収納位置にある場合の付勢バネの付勢力を示した図である。図４（ｂ）はストロボユニットが発光位置にある場合の付勢バネの付勢力を示した図である。
【００３８】
ストロボユニットが収納位置にいる時には、付勢バネ７８により発光部ホルダ７１２に付勢力Ｆ１が生じる。発光部ホルダの回転軸７１２ｂ、７１２ｃは、ベース部材で形成した第一の軸受部７２ｂ、７２ｃと摺動嵌合して支軸されているため、回転軸を中心として、付勢力Ｆ１の分力によるモーメントＭ１が働き、収納方向に向かって付勢されている。
【００３９】
また、ストロボユニットが発光位置にいる時には、付勢バネ７８の付勢方向が反転し、付勢バネ７８により発光部ホルダ７１２に付勢力Ｆ２が生じる。発光部ホルダの回転軸７１２ｂ、７１２ｃは、ベース部材で形成した第一の軸受部７２ｂ、７２ｃと摺動嵌合して支軸されているため、回転軸を中心として、付勢力Ｆ２の分力によるモーメントＭ２が働き、発光位置に向かって付勢されている。この発光位置への付勢により発光部ホルダが回動運動し、発光部ホルダに設けたストッパ面７１３ｃ、７１４ａが蓋用ビスのビス頭部７４ｂに当接して停止する。
【００４０】
図４（ｃ）は発光部ホルダに形成された回転軸７１２ｂ、７１２ｃとベース部材で形成した第一の軸受部７２ｂ、７２ｃの関係を示した図である。ストロボユニット７が収納位置と発光位置との間を回動する際に、付勢バネ７８は回転軸７１２ｂ、７１２ｃを介してＲ範囲に渡って発光部ホルダに付勢力を与える。つまり、このＲ範囲をカバーする円弧形状で第一の軸受部７２ｂ、７２ｃを形成することによって、発光部ホルダの回動動作は、常にベース部材で形成された第一の軸受部７２ｂ、７２ｃに接触して摺動することになる。つまり、第一の軸受部に組立用の切欠部７１２ｂａ、７１２ｃａを設けたが、発光部ホルダの回動時に摺動する部分は、常にベース部材が一体で軸受部を形成しているので、回動性能を阻害することはない。
【００４１】
図４（ｄ）は発光部ホルダに形成された回転軸７１２ｂ、７１２ｃと蓋体に形成された第二の軸受部７３ａの関係を示した図である。Ｒ範囲を覆うように形成された第一の軸受部７２ｂ、７２ｃの円弧形状に略直交する方向Ｄ１と、蓋体の組立方向Ｄ２を略一致するように構成することで、蓋体７３は組立方向Ｄ２に真っ直ぐ組み立てれば良い。すると、回転軸７１２ｂ、７１２ｃは第一の軸受部７２ｂ、７２ｃと第二の軸受部７３ａによって全周覆うことが出来る。
【００４２】
このような機構にすることで、軸受部７２ｂ、７２ｃに回転軸組立用の切欠部を設けても、発光部ホルダの回動性能を阻害することなく、回転軸と軸受部の組立を容易にすることができる。
【００４３】
上記の実施形態によれば、回転軸を持つポップアップストロボにおいて、付勢部材の付勢力によって回転軸が当接する範囲をベース部材の軸受部で受ける構造とする。さらに、この軸受部に回転軸が当接する範囲外に回転軸組立用の切欠部を設けることで、発光部ホルダの回動運動を阻害することなく、回転軸と軸受部の組立を容易にすることができる。
【００４４】
以上、本発明の好ましい実施形態について説明したが、本発明はこれらの実施形態に限定されず、その要旨を範囲内で種々の変形および変更が可能である。
【符号の説明】
【００４５】
７２  ベース部材、７３  蓋体、７６  基板、７８  付勢部材、
７２ｂ，７２ｃ  第一の軸受部、７２ｂａ，７２ｃａ  切欠部、７３ａ  第二の軸受部、
７６ａ  検出スイッチ、７１１  ストロボ発光部、７１２  発光部ホルダ、
７１２ｂ，７１２ｃ  一対の回転軸、７１２ｆ  延設部、７１２ｂａ  挿通口、
７１５  リード線群
【図１】
2016085251.tif 000003
【図２】
2016085251.tif 000004
【図３】
2016085251.tif 000005
【図４】
2016085251.tif 000006